【事件の表示】
　平成　７年特許願第１４８１４６号「パチンコ機」拒絶査定不服審判事件〔平成　８年１１月２６日出願公開、特開平　８−３０８９９２〕について、次のとおり審決する。
【結　論】
　本件審判の請求は、成り立たない。
【理　由】
【１】手続の経緯・本願発明
　本願は、平成７年５月２２日の出願であって、平成１３年３月１２日付けで拒絶の理由が通知され、これに対応して同年５月１４日付けで手続補正がなされ、同年９月７日付けで拒絶査定がなされ、これに対し、同年１０月１１日に拒絶査定に対する審判請求がなされた。
　本願の請求項１〜６に係る発明は、特許請求の範囲の請求項１〜６に記載された事項により特定されるとおりのものであり、そのうち請求項６に係る発明は以下のものと認める。
「開閉翼片によって開閉制御される入賞玉入口のみから玉流入が可能な閉鎖作動領域内に、普通通過口と特定通過口とを設け、かつ開閉翼片を開放位置と遮蔽位置とに変換する開閉駆動装置を備えた変動入賞装置と、
　遊技盤面に設けられた始動口に玉が流入すると、前記開閉駆動装置を駆動して開閉翼片を開放位置に変換すると共に、閉鎖作動領域内の特定通過口に玉が流入すると、前記開閉駆動装置により開閉翼片が往復開放作動、または所定時間開放作動からなる大当り作動を発生する制御内容を備えた制御装置とを備えたパチンコ機において、
　変動入賞装置の閉鎖作動領域内に、前記普通通過口と、特定通過口のほかに、玉流入に伴って大当り作動とは異なった遊技者に利益ある内容が、遊技面に設けた開閉入賞器を開放する構成を発生させる特別通過口を設け、始動口への玉流入により開放された入賞玉入口から閉鎖作動領域内に入った玉が、普通通過口、特定通過口及び特別通過口のうち、いずれかの通過口に流入可能となるようしたことを特徴とするパチンコ機。」
（請求項６に係る発明は、請求項１を引用するいわゆる従属形式の請求項であるため、いわゆる独立形式の請求項となるように記載した。以下、請求項６に係る発明を「本願発明」という。）
　
【２】本願出願前に頒布された刊行物に記載された発明
（１）これに対して、原査定の拒絶の理由に引用された、特開平２−１４９２８２号公報（以下、「刊行物」という。）には以下の記載がある。
イ．特許請求の範囲
「ガイドレールで囲んだ遊技盤表面の遊技部内に、遊技者にとって不利な第１状態と遊技者にとって有利な第２状態とに変換可能な可動部材と、該可動部材が第２状態に変換して受け入れた球を普通の入賞とする一般入賞口と、特別の入賞とする第１，第２特別入賞口と、第１特別入賞口に入った球を検出する第１特別入賞検出手段と、第２特別入賞口に入った球を検出する第２特別入賞検出手段とを備えた変動入賞装置と、球が入賞することにより上記可動部材を第１状態から第２状態に変換する条件を成立させる特定入賞口とを有し、上記可動部材を駆動する電気的駆動源と、特別入賞検出手段と、特定入賞口に入賞した球を検出する特定入賞検出手段とを電気的制御装置に電気的に接続し、該電気的制御装置は、特定入賞検出手段からの信号にもとづいて可動部材を第１状態から第２状態に変換し、この状態で変動入賞装置の第１特別入賞口に入賞したならば第１特別遊技を実行する第１特別遊技設定手段と、この第１特別遊技中に変動入賞装置の第２特別入賞口に入賞したならば第２特別遊技を実行する第２特別遊技設定手段と、上記第１，第２特別遊技のいずれかを選択する特別遊技判定手段とを有し、上記第２特別入賞口への入賞を条件として第１特別遊技から第２特別遊技に移行することを特徴とするパチンコ機。」
ロ．２頁左下欄１７行〜３頁左下欄８行
「パチンコ機の遊技盤１の表面には、第１図に示すようにガイドレール２で囲んだ遊技部３を形成し、該遊技部３内に無数の障害釘を植設するとともに、始動口４，４や一般の入賞具５…を配設し、また遊技部３のほぼ中央に変動入賞装置６を配設し、該変動入賞装置６の下方左右に第１特定入賞口７，７を、該第１特定入賞口７，７の中間に第２特定入賞口８を並設してあり・・・各々設けてある。変動入賞装置６は、遊技盤１の表面に取付ける基板１２に開口部１３を開設し、該開口部１３の上方の基板１２表面に横長な箱状の鎧部１４を突設して・・・開口部１３の左右には直立状に起立して流下してきた球が開口部１３内に流入することを阻止して遊技者にとって不利となる第１状態と上端を外側に倒して流下してきた球を受け止めて開口部１３に流入させて遊技者にとって有利となる第２状態とに変換可能な一対の可動部材１９，１９を夫々支軸２０により往復回動自在に軸着し、上記可動部材１９，１９，の軸着基端間に上面に突条２１を形成した棚板２２を開口部１３に向けて僅かに下り傾斜させた状態で突設し、該棚板２２の下方の左右にはほぼ直立状に延在して流下してきた球が直接する入賞することを阻止する阻止壁２３，２３を形成するとともに、左右の阻止壁２３，２３の下端間隔内に球受枠２４を形成してある。また、上記した基板１２の裏側にケース２５を設けることにより開口部１３に連通する凹室２６を形成し、・・・凹室２６の底面２９の傾斜下端前方に位置する球受枠２４内のほぼ中央に球が入った場合に特別の入賞とする第１特別入賞口３２を突設し、該第１特別入賞口３２の左右の空部を、球が入った場合に普通の入賞とする一般入賞口３３，３３とし、・・・一方の案内突条３４の下流側に開閉蓋３５を有する第２特別入賞口３６を開設し、・・・各々臨ませてある。また、ケース２５の裏側には可動部材１９，１９を駆動する電気的駆動源としての第１ソレノイド４０，４０・・・を設けるとともに・・・第２特別入賞口３６の開閉蓋３５を駆動する第４ソレノイド４４等を設け・・・遊嵌する。」
ハ．５頁右下欄５〜９行
「したがって、第１特定入賞口７に入ると可動部材１９，１９が０．４秒間だけ第１状態から第２状態に変換し、第２特定入賞口８に入ると、可動部材１９，１９が０．７秒間宛２回だけ第１状態から第２状態に変換する。」
ニ．６頁左上欄１行〜左下欄３行
「この球が一般入賞口３３に入った場合、球は遊技盤１の裏側に流出して入賞球となるが、遊技状態に変化はない。一方、球が運良く第１特別入賞口３２に入ると、該第１特別入賞口３２に設けた第１特別入賞検出器３７がこの球を検出して電気的制御装置６８に信号を送る。・・・電気的制御装置６８が第１特別入賞検出器３７からの信号を受けると、・・・この第１特別遊技設定手段６９に設定された遊技態様で遊技を進行する。・・・本実施例における特別遊技は、電気的制御装置６８が第１ソレノイド４０，４０を励磁し、可動部片１９，１９を所定時間宛所定回数（例えば、０．８秒間宛１８回）だけ第１状態から第２状態に変換するとともに、・・・所定条件が成立するまで連続して励磁する。この所定条件は、適宜に設定することができるが、本実施例では入賞個数が所定数（例えば、５個）に達するが又は可動部材１９，１９が所定回数（例えば、８回）開閉することにより達成される。」
ホ．６頁右下欄４行〜８頁左下欄１行
「例えば、電気的制御装置６８で継続回数を８回に設定したパチンコ機においは・・・電気的制御装置６８が第１ソレノイド４０、第２ソレノイド４１、第３ソレノイド４３を所定時間間隔で励磁・消磁を繰り返して第１サイクル目を開始する。・・・いずれの球も一般入賞口３３又は第１特別入賞口３２に入る。・・・一方、１サイクル目の遊技において、球が第１特別入賞口３２に入ると、第一特別入賞検出器３７からの信号により継続回数カウンタに「１」が加算され、この演算結果と継続回数の設定数「８」とが比較され、継続回数に満たない場合には、第１ソレノイド４０、第２ソレノイド４１，第３ソレノイド４３を消磁し、その後に再度ウエイトタイマをセットして２サイクル目を開始する。・・・この様にして、第１特別入賞口３２に球が入る度に継続回数カウンタと継続回数の設定数「８」とが比較され、継続回数に満たない場合には、・・・次のサイクルに移行する。そして、継続回数カウンタの値が継続回数の設定数「８」に達すると、第４ソレノイド４４が励磁して開閉蓋３５を下降することにより変動入賞装置６の第２特別入賞口３６に球が入賞可能な状態に変換して、・・・いずれか一方の停止条件が成立するまで当該第１特別遊技を継続する。・・・一方、最終サイクルの第１特別遊技中に、球が運良く第２特別入賞口３６に入ると、第２特別入賞検出器３９がこの球を検出して電気的制御装置６８に信号を送る。・・・本実施例における第２特別遊技は、第２特別遊技の権利が発生してから始動口４，４に入賞した球を始動検出器９，９が検出して電気的制御装置６８に信号を送ることを条件として、変動入賞装置６の可動部材１９，１９が第１状態から第２状態に変換するもので、・・・第１特別遊技とは異なる効果音を発生して遊技者に報知する。そして、本実施例では、第１特定入賞検出器１０，第２特定入賞検出器１１、及び第１特別入賞検出器３７からの信号の入力を遮断し、第４ソレノイド４４を励磁して第２特別入賞口３６を開閉状態とする。この状態で、球が始動口４に入り、この球を検出した始動検出器９が電気的制御装置６８に信号を送ると、電気的制御装置６８は、記憶カウンタに「１」を加算し、第１ソレノイド４０を励磁して変動入賞装置６の可動部材１９，１９を球を受け入れない第１状態から球を受け入れ易い第２状態に所定時間（例えば、１０秒間）または入賞個数が所定数（例えば、１０個）に達するまで、即ち停止条件が成立するまで変換する。」
ヘ．８頁左下欄１６行〜同右下欄１行
「変動入賞装置６の可動部材１９，１９が第２状態に変換すると、遊技部３内を流下してきた球が可動部材１９，１９に受け入れられて次々に凹室２６内に入り、前記と同様に、底面２９上を流下して一般入賞口３３、第１特別入賞口３２、または第２特別入賞口３６に入賞する。」
ト．９頁左下欄６〜１１行
「また、第１特別遊技と第２特別遊技は、権利発生条件の達成を条件として開始され、遊技者にとって遊技な状態で展開されるものであればどのような遊技態様でもよく、可動部材１９，１９が開閉する回数や時間は適宜に設定することができる。」
チ．９頁右下欄２〜１４行
「この様に、本発明は第１特別入賞口への入賞を最初に達成すべき条件とし、この条件が達成されたならば更に第２特別入賞口への入賞を次の大きな条件としており、これらの条件を達成することができれば、それ相応の大きな利益を獲得することができる。また、第１特別遊技は第１特別遊技設定手段により、第２特別遊技は第２特別遊技設定手段により、それぞれ適宜な遊技内容を設定することができ、これにより普遍化していた特別遊技に大きな変化を与えることができる。したがって、パチンコ遊技自体に従来にない変化を与えることができ、これによりパチンコ遊技の興趣を高揚することができる。」
　
　上記記載、対応する図面及び当業者の技術常識によれば刊行物には、以下の発明が記載されていると認められる。
「可動部材１９によって開閉制御される開口部１３のみから球流入が可能な閉鎖作動領域内に、一般入賞口３３と第１特別入賞口３２とを設け、かつ可動部材１９を開放位置と遮蔽位置とに変換する第１ソレノイド４０を備えた変動入賞装置６と、
遊技部３に設けられた第１特定入賞口７，第２特定入賞口８に球が流入すると、前記第１ソレノイド４０を駆動して可動部材１９を開放位置に変換すると共に、閉鎖作動領域内の第１特別入賞口３２に球が流入すると、前記第１ソレノイド４０により可動部材１９が往復開放作動からなる第１特別遊技を発生する制御内容を備えた制御装置とを備えたパチンコ機において、
　変動入賞装置６の閉鎖作動領域内に、前記一般入賞口３３と、前記第１特別入賞口３２のほかに、第１特別遊技中に変動入賞装置６の第２特別入賞口３６に入賞したならば球流入に伴って可動部材１９を所定時間開放位置にする第１特別遊技とは異なった遊技者に利益ある内容の第２特別遊技を発生させる第２特別入賞口３６を設け、第１特定入賞口７，第２特定入賞口８への球流入により開放された開口部１５から閉鎖作動領域内に入った球が、一般入賞口３３、第１特別入賞口３２及び第２特別入賞口３６のうち、いずれかの通過口に流入可能となるようにしたパチンコ機。」
　
【３】対比・判断
（１）本願発明と刊行物記載の発明を対比すると、刊行物記載の発明の「可動部材１９」は本願発明の「開閉翼片」に相当し、以下同様に「開口部１３」は「入賞玉入口」に、「球」は「玉」に、「一般入賞口３３」は「普通通過口」に、「第１特別入賞口３２」は「特定通過口」に、「第１ソレノイド４０」は「開閉駆動装置」に、「遊技部３」は「遊技盤面」に、「第１特定入賞口７，第２特定入賞口８」は「始動口」に、「第２特別入賞口３６」は「特別通過口」に、「第１特別遊技」は「大当り」に、それぞれ相当するから、　両者は、「開閉翼片によって開閉制御される入賞玉入口のみから玉流入が可能な閉鎖作動領域内に、普通通過口と特定通過口とを設け、かつ開閉翼片を開放位置と遮蔽位置とに変換する開閉駆動装置を備えた変動入賞装置と、遊技盤面に設けられた始動口に玉が流入すると、前記開閉駆動装置を駆動して開閉翼片を開放位置に変換すると共に、閉鎖作動領域内の特定通過口に玉が流入すると、前記開閉駆動装置により開閉翼片が往復開放作動からなる大当り作動を発生する制御内容を備えた制御装置とを備えたパチンコ機において、
　変動入賞装置の閉鎖作動領域内に、前記普通通過口と、特定通過口のほかに、玉流入に伴って大当り作動とは異なった遊技者に利益ある内容を発生させる特別通過口を設け、始動口への玉流入により開放された入賞玉入口から閉鎖作動領域内に入った玉が、普通通過口、特定通過口及び特別通過口のうち、いずれかの通過口に流入可能となるようしたパチンコ機。」である点で一致し、以下の点で相違している。
　
［相違点］特別通過口への玉流入に伴って発生する遊技者に利益ある内容が、本願発明は、遊技面に設けた開閉入賞器を開放する構成であるのに対し、刊行物記載の発明は、可動部材１９を所定時間開放位置にする点。
　
　上記相違点について検討する。
　所定条件を満たした場合に、遊技者に利益ある内容として、遊技面に設けた開閉入賞器を開放することは例示するまでもなく周知技術にすぎないから、刊行物記載の発明に、当該周知技術を適用し、相違点に係る本願発明の構成とすることは、当業者が容易に想到できたことにすぎない。
　
　そして、本願発明が奏する作用効果も刊行物記載の発明、及び周知技術から当業者が予測しうる範囲のものである。
　
　なお、請求人は、審判請求書（６頁２３〜２５行）において、刊行物は、「段階的に有効となる第１特別入賞口、第２特別入賞口を備えているものであって、本発明のように、ほぼ同時に有効となる特定通過口及び特別通過口を備えるものではない。」と主張している。しかしながら、本願発明には「ほぼ同時に有効となる」旨の発明特定事項は記載されておらず、このような主張は、請求項の記載に基づかないものと云わざるを得ない。
　
【３】むすび
　以上のように、本願発明は、刊行物に記載された発明及び周知技術に基づいて当業者が容易に発明をすることができたものであるから、特許法第２９条第２項の規定により特許を受けることができないものであり、本願の他の請求項に係る発明について検討するまでもなく、本願は拒絶すべきものである。
　
　よって、結論のとおり審決する。